(57)【要約】  【課題】  低温の外気を取り込んでも電装品箱に結露が生じたり結氷してしまうことのない天井埋込型の空気調和機を提供する。  【解決手段】  ベルマウスからなる空気吸込部と空気吹出部とを結ぶ空気通路に送風機４と熱交換器とを備え、ベルマウスの外側に電装品箱を備えた本体と、吸込口と複数の吹出口８とを備えた化粧パネル９と、前記本体と前記化粧パネル９との間に設けられ、ダクトＤを接続して外気を取り込む取込口１０と、同取込口１０から取り込んだ外気と前記吸込口から吸い込んだ空気とを前記空気吸込部に導く空気吸込路１３ａと、前記空気吹出部および前記吹出口を連通する空気吹出路とを備えたスペーサとからなる天井埋込型の空気調和機において、前記電装品箱１１を前記取込口１０に対向する側に設けた。【選択図】  図１
2010210130.tif 000002
【特許請求の範囲】
【請求項１】
下部中央にベルマウスからなる空気吸込部を、同空気吸込部の外側に複数の空気吹出部を夫々備え、これら空気吸込部と空気吹出部とを結ぶ空気通路に送風機と熱交換器とを備え、前記ベルマウスの側方に電装品箱を備えた本体と、前記空気吸込部に対応する吸込口と、前記空気吹出部に対応する複数の吹出口とを備えた化粧パネルと、前記本体と前記化粧パネルとの間に設けられ、ダクトを接続して外気を取り込む取込口と、同取込口から取り込んだ外気と前記吸込口から吸い込んだ空気とを前記空気吸込部に導く空気吸込路と、前記空気吹出部および前記吹出口とを連通する空気吹出路とを備えたスペーサとからなる天井埋込型の空気調和機において、
前記電装品箱が、前記取込口と対向する側に設けられてなることを特徴とする天井埋込型の空気調和機。
【発明の詳細な説明】
【技術分野】
【０００１】
本発明は、外気取込装置を備えた天井埋込型の空気調和機に関する。
【背景技術】
【０００２】
従来の天井埋込型の空気調和機は、図１および図２に示すように、本体１に備えた吸込部２を構成するベルマウス１４の側方に電装品箱１１が設けられている。
【０００３】
なお、図１は天井埋込型の空気調和機を吸込グリルやエアフィルタを取り外して下方から見た図であり、図２は図１に示すＡ−Ａ断面図である。
【０００４】
天井埋込型の空気調和機には、近年、吸込口７から室内空気を吸い込むとともに、ダクトＤを接続して外気を取り込み、吸い込んだ室内空気と取り込んだ外気とが混合した状態で熱交換器５によって熱交換され、吹出口８から吹き出して室内の空気調和を行うようにしたものがある。
【０００５】
ダクトＤは、例えば、空気調和機の本体１と化粧パネル９との間に設けられたオプションキットである外気取込装置（スペーサ）１３に接続されることによって、外気を本体１内に導入する構成になっている。
【０００６】
この場合、外気取込装置（スペーサ）１３を設けることができるだけの天井フトコロの深さが必要となっているが、吸込口７から空気吸込路１３ａに吸い込んだ室内空気と、ダクトＤから空気吸込路１３ａに取り込んだ外気とは、同じ空気吸込路１３ａ内に流入することで混合されやすい構成になっており、本体１と、外気取込装置（スペーサ）１３と、化粧パネル９とからなるこのタイプのものが多く使用されている。
【０００７】
しかしながら、例えば、図１に示す取込口１０’にダクトＤ’が接続されるとともに、図１に破線で示す矢印ｂ’のように、ダクトＤ’から空気吸込路１３ａに取り込まれる外気が−１５℃といった低温であるような場合、取込口１０’の近傍に電装品箱１１が配置されていることから、取り込まれた外気が空気吸込路１３ａに吸い込まれた室内空気と混合して温度上昇する以前に電装品箱１１に触れることになり、この電装品箱１１に結露が生じたり結氷してしまうという問題点を有していた。
【０００８】
また、図示はしないが、吸気ダクトに吸気加熱冷却熱交換器を設けて、吸気ダクトを流通する屋外空気を予備加熱または予備冷却する空調システムが開示されていたが、この場合、吸気加熱冷却熱交換器を設けることで空調システムの構成が複雑化していた（例えば、特開２００５−３０７０６号公報参照）。
【先行技術文献】
【特許文献】
【０００９】
【特許文献１】特開２００５−３０７０６号公報
【発明の概要】
【発明が解決しようとする課題】
【００１０】
そこで、本発明は上述した課題を解決するためになされたものであって、その目的は、低温の外気を取り込んでも電装品箱に結露が生じたり結氷してしまうことのない天井埋込型の空気調和機を提供することにある。
【課題を解決するための手段】
【００１１】
上述した目的を達成できるように構成するため、本発明は以下に示す特徴を備えている。
【００１２】
下部中央にベルマウスからなる空気吸込部を、同空気吸込部の外側に複数の空気吹出部を夫々備え、これら空気吸込部と空気吹出部とを結ぶ空気通路に送風機と熱交換器とを備え、前記ベルマウスの側方に電装品箱を備えた本体と、前記空気吸込部に対応する吸込口と、前記空気吹出部に対応する複数の吹出口とを備えた化粧パネルと、前記本体と前記化粧パネルとの間に設けられ、ダクトを接続して外気を取り込む取込口と、同取込口から取り込んだ外気と前記吸込口から吸い込んだ空気とを前記空気吸込部に導く空気吸込路と、前記空気吹出部および前記吹出口を連通する空気吹出路とを備えたスペーサとからなる天井埋込型の空気調和機において、
前記電装品箱が、前記取込口に対向する側に設けられてなることを特徴としている。
【発明の効果】
【００１３】
本発明によれば、低温の外気を取り込んでも電装品箱に結露が生じたり結氷してしまうことのない天井埋込型の空気調和機を提供できる。
【図面の簡単な説明】
【００１４】
【図１】本発明による天井埋込型の空気調和機を、吸込グリルやエアフィルタを取り外して下方から見た図である。
【図２】図１に示すＡ−Ａ断面図である。
【発明を実施するための形態】
【００１５】
以下、本発明を実施するための形態を、添付図面に基づいた実施例として詳細に説明する。
【実施例１】
【００１６】
本発明による天井埋込型の空気調和機は、実施例１として図１および図２に示すように、空気調和機の本体１の下部中央にベルマウス１４からなる空気吸込部２が設けられ、空気吸込部２の外側（四側）に空気吹出部３が設けられ、これら空気吸込部２と空気吹出部３とを結ぶ空気通路には、ベルマウス１４を臨ませた送風ファンおよびファンモータからなる送風機４と、下部にドレンパン６を備えた熱交換器５とが設けられている。
【００１７】
本体１の下部には、図１に示すダクトＤにより、下部中央の空気吸込部２に向けて外気を取り込めるように構成したスペーサ１３が設けられている。
【００１８】
なお、図２に示すダクトＤは、スペーサ１３に備えた外気取込用の取込口１０に接続され、図２に示す矢印ｂのように、スペーサ１３に備えた後述する空気吸込路１３ａから、本体１下部に備えた空気吸込部２に向けて外気を取り込めるように構成されていることを示している。
【００１９】
スペーサ１３は、本体１に備えた空気吸込部２に連通する空気吸込路１３ａと、本体１に備えた空気吹出部３に連通する空気吹出路１３ｂとを備えている。
【００２０】
空気吸込路１３ａと空気吹出路１３ｂとは夫々が上下に貫通して、空気吸込路１３ａは本体１に備えた空気吸込部２に連通し、空気吹出路１３ｂは本体１に備えた空気吹出部３に連通した構成になっている。
【００２１】
本体１に備えた空気吸込部２をなすベルマウス１４の側方には、図示しない電装品を収納した電装品箱１１が、空気吸込路１３ａおよび空気吸込部２から熱交換器５に向かう空気に触れるように設けられている。
【００２２】
スペーサ１３の下部には、本体１の下部中央に備えた空気吸込部２と、スペーサ１３に備えた空気吸込路１３ａとに連通する吸込口７を有するとともに、空気吸込部２の外側（四側）に備えた空気吹出部３と、スペーサ１３に備えた空気吹出路１３ｂとに連通する吹出口８を有する化粧パネル９が設けられており、図２に示すように、本体１と、スペーサ１３と、化粧パネル９とで天井埋込型の空気調和機が構成されている。
【００２３】
これにより、図２に示す矢印ａのように送風機４によって吸込口７から吸い込まれた室内空気と、図１および図２に示す矢印ｂのようにダクトＤにより取り込まれた外気とが、スペーサ１３に備えた空気吸込路１３ａおよび本体１下部に備えた空気吸込部２から、送風機４を経て熱交換器５に送出されて熱交換される。
【００２４】
熱交換された調和空気は、スペーサ１３に備えた空気吹出路１３ｂを経て化粧パネル９に備えた吹出口８に送出され、吸込口７から吸い込まれた室内空気と、フレッシュエアとして取り込まれた外気とが混合したのち、図２に示す矢印ａ＋ｂのように、熱交換された調和空気として吹出口８から室内に吹き出されることになる。
【００２５】
空気吸込部２をなすベルマウス１４の一側方には、図示しない電装品を収納した電装品箱１１が設けられ、この電装品箱１１に対向している側であって、ベルマウス１４の他側方の近傍となるスペーサ１３の側壁には、外気を取り込むためのダクトＤが接続される取込口１０が設けられている。
【００２６】
ダクトＤが接続される取込口１０は、図１および図２に示すように、スペーサ１３に備えた空気吸込路１３ａを介して、電装品箱１１に対向している側に設けられている構成になる。
【００２７】
これにより、図１に示す取込口１０にダクトＤが接続されるとともに、図１および図２に示す矢印ｂのように、例えば、ダクトＤから空気吸込路１３ａに取り込まれた外気の温度が氷点下のような低温であったとしても、この空気吸込路１３ａで、吸込口７から吸い込まれた室内空気と混合することにより温度上昇するようになる。
【００２８】
そのため、例えば、空気吸込路１３ａに取り込まれた低温の外気が、吸込口７から空気吸込路１３ａに吸い込まれた室内空気と混合して、ベルマウス１４の一側方に設置されている電装品箱１１に、結露が生じたり結氷してしまう恐れがないように温度上昇することになる。
【００２９】
低温で取り込まれ室内空気と混合することで温度上昇した外気は、空気吸込路１３ａおよび空気吸込部２から送風機４を経て熱交換器５に向かうようになっており、熱交換器５で熱交換されたのち、空気吹出部３および空気吹出路１３ｂから吹出口８に送出されることになる。
【００３０】
その際、空気吸込路１３ａに取り込まれた低温の外気は、直ちに電装品箱１１に接触するのではなく、空気吸込路１３ａに吸い込まれた室内空気と混合して温度上昇したのちに電装品箱１１に接触することになるため、電装品箱１１に結露が生じたり結氷してしまう恐れがなくなる。
【００３１】
すなわち、低温の外気が直接に接触して（当たって）しまわない位置に電装品箱１１を配置しているので、電装品箱１１に結露が生じたり結氷してしまう恐れがなくなり、この電装品箱１１に収納されている電子部品や基板類といった図示しない電装品に悪影響を及ぼしにくい構成になる。
【００３２】
以上説明したように、本発明による構成であれば、送風機４によってダクトＤから取り込まれた外気が、電装品箱１１に直接に接触して（当たって）しまわないので、低温の外気を取り込んでも電装品箱１１に結露が生じたり結氷してしまう恐れがないようにした天井埋込型の空気調和機となる。
【符号の説明】
【００３３】
１  空気調和機の本体
２  空気吸込部
３  空気吹出部
４  送風機
５  熱交換器
６  ドレンパン
７  吸込口
８  吹出口
９  化粧パネル
Ｄ  ダクト
１０  取込口
１１  電装品箱
１２  室温センサ
１２ａ  遮風体
１３  スペーサ
１３ａ  空気吸込路
１３ｂ  空気吹出路
【図１】
2010210130.tif 000003
【図２】
2010210130.tif 000004